(57)【要約】【課題】  類似する保持器の識別を容易にしたころ軸受の保持器を提供する。【解決手段】  ころ軸受の保持器２１ａは、一対の環状部と、ころを収容するポケットを形成するように一対の環状部を連結する柱部とを含む。保持器２１ａの柱部のうち、環状部より径方向内側に段差をもって凹んだ、内径側へのころ抜け防止部が形成された中央部２２ａの内径側には、その中央部２２ａ全体が内径側に凸状の識別用マーキング２３ａが設けられている。【選択図】      図１
2007046643.tif 000002
【特許請求の範囲】
【請求項１】
一対の環状部と、ころを収容するポケットを形成するように前記一対の環状部を連結する柱部とを含むころ軸受の保持器であって、
前記柱部は、径方向に凹状または凸状の識別用マーキングを有する、ころ軸受の保持器。
【請求項２】
前記柱部は、段差をもって凹んだ中央部に前記識別用マーキングを有する、請求項１に記載のころ軸受の保持器。
【請求項３】
前記柱部は、前記環状部より径方向内側に段差をもって凹んだ中央部にころ抜け防止部を有しており、
前記識別用マーキングは、前記ころ抜け防止部の外径側に設けられている、請求項１または２に記載のころ軸受の保持器。
【請求項４】
請求項１〜３のいずれかに記載のころ軸受の保持器と、複数のころとを有する、ころ軸受。
【発明の詳細な説明】
【技術分野】
【０００１】
この発明は、ころ軸受の保持器およびころ軸受に関する。
【背景技術】
【０００２】
回転軸を支持するころ軸受は、転動体である複数のころと、複数のころを保持する保持器とからなる。上記したころ軸受の保持器は、ころを保持するポケットと、各ポケットの間に位置する柱部と、複数の柱部を連結する環状部とから構成される。このような構成のころ軸受の保持器は、特開２０００−２４０６６２号公報（特許文献１）に開示されている。
【０００３】
ここで、上記した保持器の各構成、たとえば、ポケットの数やポケットの寸法、また、保持器の大きさ等については、耐久性や耐荷重性等の保持器に求められる特性、取り付けられるハウジング等との位置関係等によって定められる。たとえば、耐荷重性が要求される場合には、保持するころの数を多くするために、ポケットの数を増加する、といった具合である。
【特許文献１】特開２０００−２４０６６２号公報（段落番号００１１、図２）
【発明の開示】
【発明が解決しようとする課題】
【０００４】
各構成が変更された保持器については、類似したものも多く存在する。たとえば、保持器の外径寸法がわずかに異なるもの、また、ポケットの数やポケットの寸法等がわずかに異なるもの等、種々の構成が若干の差を有する保持器が存在する。
【０００５】
このような若干の差を有する保持器が複数存在した場合において、類似した保持器を他の保持器から識別することは困難である。
【０００６】
ここで、類似した保持器について、各保持器に独自の識別用のマーキングを設けることが考えられる。しかし、凸状の識別用マーキングを保持器の幅面や外径面に設けた場合には、保持器を含むころ軸受をハウジング等に取り付けた際に、識別用マーキングとハウジング等とが干渉するおそれがある。
【０００７】
この発明は、類似する保持器の識別を容易にしたころ軸受の保持器およびころ軸受を提供することを目的とする。
【課題を解決するための手段】
【０００８】
この発明に係るころ軸受の保持器は、一対の環状部と、ころを収容するポケットを形成するように一対の環状部を連結する柱部とを含む。ここで、柱部は、径方向に凹状または凸状の識別用マーキングを有する。
【０００９】
このように構成することにより、類似する保持器に設けられた識別用マーキングにより、容易に保持器を識別することができる。また、幅面や外径面において、外形状が変更されている部分はなく、識別用マーキングとハウジング等とが、干渉することはない。さらに、このような位置に識別用マーキングを設けることにより、保持器の性能を落とすこともない。なお、本明細書中「識別用マーキング」とは、類似する保持器から識別するために設けられた、外形で識別できる凹状または凸状の部分をいう。
【００１０】
好ましくは、柱部は、段差をもって凹んだ中央部に識別用マーキングを有する。こうすることにより、柱部の端部が案内面となった場合に、その部分を避けて、識別用マーキングを設けることができる。
【００１１】
より好ましくは、柱部は、環状部より径方向内側に段差をもって凹んだ中央部にころ抜け防止部を有しており、識別用マーキングは、ころ抜け防止部の外径側に設けられている。こうすることにより、柱部の径方向内側に凹んだ部分に識別用マーキングを設けることができる。また、案内面を避けて、識別用マーキングを設けることができる。
【００１２】
この発明の他の局面においては、ころ軸受は、上記したいずれかのころ軸受の保持器と、複数のころとを有する。このように構成することにより、ころ軸受に含まれる保持器を容易に識別することができ、ひいては、類似するころ軸受を識別することが容易となる。
【発明の効果】
【００１３】
この発明によれば、類似する保持器に設けられた識別用マーキングにより、容易に保持器を識別することができる。また、幅面や外径面において、外形状が変更されている部分はなく、識別用マーキングとハウジング等とが、干渉することはない。さらに、このような位置に識別用マーキングを設けることにより、保持器の性能を落とすことはない。
【発明を実施するための最良の形態】
【００１４】
以下、この発明の実施の形態を図面を参照して説明する。図２は、この発明の一実施形態に係るころ軸受の保持器を示す斜視図である。図２を参照して、保持器１１は、一対の環状部１２ａ、１２ｂと、ころを保持するポケット１３を形成するように、一対の環状部１２ａ、１２ｂを連結する複数の柱部１４とを有する。
【００１５】
柱部１４の中央部１５は、環状部１２ａ、１２ｂより径方向内側に段差をもって凹んだ、断面がＶ字状の形状を有している。柱部１４の中央部１５は、その内径側の寸法が狭くなっており、内径側へのころ抜け防止部が形成されている。また、柱部１４の端部１６は、外径側にプレス等で押圧されることにより幅広に成型されており、外径側へのころ抜け防止部が形成されている。
【００１６】
ここで、柱部の中央部の径方向内側に識別用マーキングを設ける。図１（Ａ）は、中央部２２ａの内径側に凸状の識別用マーキング２３ａを設けた一例を示す図である。図１（Ａ）を参照して、保持器２１ａに含まれる柱部のうち、環状部より径方向内側に段差をもって凹んだ中央部２２ａの内径側には、その中央部２２ａ全体が内径側に凸状の識別用マーキング２３ａが設けられている。こうすることにより、識別用マーキング２３ａを手がかりとして、保持器２１ａを他の保持器と識別することができる。また、保持器２１ａが外径案内、ころ案内である場合において、中央部２２ａは環状部よりも内径側に一段下がっているため、保持器２１ａを含んだころ軸受をハウジング等に組み込んだ際に、ハウジング等と識別用マーキング２３ａとが、干渉することはない。
【００１７】
なお、中央部の内径側に凸状の識別用マーキングを設ける場合において、中央部２２ｂの全体が内径側に凸状でなくとも、図１（Ｂ）に示すように、保持器２１ｂの柱部のうち、中央部２２ｂの一部が凸状の識別用マーキング２３ｂを設けてもよい。さらに、図１（Ｃ）に示すように、保持器２１ｃの柱部のうち、中央部２２ｃに複数の凸状部分を有する識別用マーキング２３ｃを設けてもよい。
【００１８】
ここで、上記した保持器に設けた識別用マーキングにおいては、内径側に凸状であるため、内径案内である場合には、回転軸（図示せず）と識別用マーキングが干渉するおそれがある。したがって、このような場合、図１（Ｄ）で示すように、保持器２１ｄの柱部のうち、中央部２２ｄの内径側に凹状の識別用マーキング２３ｄを設けてもよい。こうすることによっても、識別用マーキング２３ｄによって、保持器２１ｄを識別することができる。また、凹状であるため、回転軸と識別用マーキング２３ｄが干渉することはない。なお、凹状の識別用マーキングは、上記と同様に、中央部２２ｄの全体が凹状であってもよいし、凹状部分が複数設けられていてもよい。
【００１９】
また、上記の実施の形態においては、柱部の中央部の内径側に凹状または凸状の識別用マーキングを設けることにしたが、これに限らず、柱部の中央部の外径側に設けることにしてもよい。
【００２０】
図３（Ａ）は、中央部２５ａの外径側に凹状の識別用マーキング２６ａを設けた一例を示す図である。図３（Ａ）を参照して、保持器２４ａに含まれる柱部のうち、環状部より径方向内側に段差をもって凹んだ中央部２５ａの外径側には、その中央部２５ａ全体が外径側に凹状の識別用マーキング２６ａが設けられている。こうすることにより、識別用マーキング２６ａによって、保持器２４ａを他の保持器と識別することができる。
【００２１】
なお、中央部の外径側に凹状の識別用マーキングを設ける場合において、中央部２５ｂの全体が外径側に凹状でなくとも、図３（Ｂ）に示すように、保持器２４ｂの柱部のうち、中央部２５ｂの一部が凹状の識別用マーキング２６ｂを設けてもよい。さらに、図３（Ｃ）に示すように、保持器２４ｃの柱部のうち、中央部２５ｃに複数の凹状部分を有する識別用マーキング２６ｃを設けてもよい。
【００２２】
また、図３（Ｄ）で示すように、保持器２４ｄの柱部のうち、中央部２５ｄの外径側に凸状の識別用マーキング２６ｄを設けてもよい。こうすることによっても、識別用マーキング２６ｄによって、保持器２４ｄを識別することができる。なお、凸状の識別用マーキング２６ｄは、上記と同様に、中央部２５ｄの全体が凸状であってもよいし、凸状部分が複数設けられていてもよい。
【００２３】
ここで、柱部の中央部は、環状部より一段下がっているため、中央部の外径側の面は保持器の案内面となることはない。したがって、案内面がいずれの面になるかに関わらず、ハウジング等に干渉することなく、凸状の識別用マーキングを設けることができる。
【００２４】
一方、外径側に凸状部分を設ける場合には、ころの径方向の動き量が規制されるため、凸状部分の最大外径はできるだけ小さい方が好ましい。
【００２５】
なお、上記の実施の形態においては、保持器の柱部のうち、中央部に形成された内径側へのころ抜け防止部に、凹状または凸状の識別用マーキングを設けることとしたが、これに限らず、ころ抜け防止部以外について、識別用マーキングを設けてもよい。
【００２６】
図４（Ａ）は、この場合の保持器の断面を示す図である。図４（Ａ）を参照して、保持器３１ａの柱部３２の端部には、外径側へのころ抜け防止部３３が設けられており、その部分は、柱部３２の中央部３４ａよりも外径側に突出している。このような場合に、柱部３２の中央部３４ａの外径側に、凸状の識別用マーキング３５ａを設ける。
【００２７】
こうすることにより、識別用マーキング３５ａを手がかりとして、保持器３１ａを他の保持器と識別することができる。
【００２８】
ここで、外径案内の場合においては、ころ抜け防止部３３よりも内径側に凸状部分の最大外径を配置するように、識別用マーキング３５ａを設ける。こうすることにより、識別用マーキング３５ａとハウジング等とが干渉することはない。
【００２９】
また、図４（Ｂ）に示すように、保持器３１ｂの柱部のうち、中央部３４ｂの外径側に凹状の識別用マーキング３５ｂを設けてもよく、凹状の識別用マーキング３５ｂは、中央部３４ｂの内径側に設けてもよい。
【００３０】
さらに、上記した保持器については、ころ抜け防止部が設けられている保持器について説明したが、これに限らず、ころ抜け防止部が設けられていない保持器についても、識別用マーキングを設けることができる。
【００３１】
図５（Ａ）は、この場合の保持器の断面を示す図である。図５（Ａ）を参照して、保持器３６ａの柱部３７のうち、中央部３８ａの内径側に凸状の識別用マーキング３９ａが設けられている。ここで、柱部３７の端部は、中央部３８ａよりも内径側に突出した形状であるため、回転軸と凸状部分は干渉することはない。また、図５（Ｂ）に示すように、保持器３６ｂの柱部のうち、中央部３８ｂの内径側に凹状の識別用マーキング３９ｂを設けてもよく、凹状の識別用マーキングは、中央部３８ｂの外径側に設けてもよい。
【００３２】
上記した保持器を含むころ軸受は、保持器を識別することにより、類似するころ軸受から容易に識別することができる。また、ころ軸受は、外輪または内輪を含むことにしてもよい。
【００３３】
以上より、類似する保持器の識別が容易なころ軸受の保持器およびころ軸受を提供することができる。
【００３４】
また、上記の実施の形態においては、凸状または凹状のいずれかの形状について、識別用マーキングを設けることとしたが、これに限らず、複数の形状を組み合わせて設けてもよい。たとえば、内径側を凹状とし、外径側を凸状とする。こうすることにより、より多くの識別用マーキングを設けることができる。
【００３５】
また、凹状または凸状の識別用マーキングは、柱部の周方向に連なっていてもよいし、柱部の周方向の一部において、凹状または凸状部分が設けられていてもよい。
【００３６】
なお、上記の実施の形態における凹状または凸状の識別用マーキングは、たとえば、樹脂製保持器であった場合、製造するための金型の対応する部分を凸状または凹状とすることにより、容易に設けることができる。また、プレス保持器等においては、該当する部分を押圧等したりすることにより、設けることができる。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３８】
この発明に係るころ軸受の保持器およびころ軸受は、類似するころ軸受の保持器およびころ軸受から容易に識別できるため、複数の近似するサイズ等を有するころ軸受の保持器およびこのような保持器を有するころ軸受に有効に利用される。
【図面の簡単な説明】
【００３９】
【図１】中央部の内径側に識別用マーキングを設けた例を示す図であり、全体が凸状の場合（Ａ）、一部が凸状の場合（Ｂ）、凸状部分が複数ある場合（Ｃ）、凹状である場合（Ｄ）を示す。
【図２】この発明の一実施形態に係るころ軸受に含まれる保持器を示す斜視図である。
【図３】中央部の外径側に識別用マーキングを設けた例を示す図であり、全体が凹状の場合（Ａ）、一部が凹状の場合（Ｂ）、凹状部分が複数ある場合（Ｃ）、凸状である場合（Ｄ）を示す。
【図４】ころ抜け防止部が中央部に設けられていない保持器の、中央部の外径側に識別用マーキングを設けた例を示す図であり、凸状である場合（Ａ）、凹状である場合（Ｂ）を示す。
【図５】ころ抜け防止部が設けられていない保持器の、中央部の内径側に識別用マーキングを設けた例を示す図であり、凸状である場合（Ａ）、凹状である場合（Ｂ）を示す。
【符号の説明】
【００４０】
１１，２１ａ，２１ｂ，２１ｃ，２１ｄ，２４ａ，２４ｂ，２４ｃ，２４ｄ，３１ａ，３１ｂ，３６ａ，３６ｂ  保持器、１２ａ，１２ｂ  環状部、１３  ポケット、１４，３２，３７  柱部、１５，２２ａ，２２ｂ，２２ｃ，２２ｄ，２５ａ，２５ｂ，２５ｃ，２５ｄ，３４ａ，３４ｂ，３８ａ，３８ｂ  中央部、１６  端部、２３ａ，２３ｂ，２３ｃ，２３ｄ，２６ａ，２６ｂ，２６ｃ，２６ｄ，３５ａ，３５ｂ，３９ａ，３９ｂ  識別用マーキング、３３  ころ抜け防止部。
【図１】
2007046643.tif 000003
【図２】
2007046643.tif 000004
【図３】
2007046643.tif 000005
【図４】
2007046643.tif 000006
【図５】
2007046643.tif 000007